(57)【要約】【課題】  ガス圧力の変化を、監視担当者が疲労しにくい状態で、しかも、安い監視コストで精度良く監視できるようにする。【解決手段】  膨張収縮自在なバッグ本体１に加圧流体供給用チューブ２を連通接続して、バッグ本体を、管壁に形成してある貫通孔を通して収縮状態でガス管内に挿入するとともに、加圧流体供給用チューブを通して供給した加圧流体で膨張させて、ガス管内を遮断可能に設け、ガス圧力導入用チューブ３をバッグ本体の内側に挿通して、バッグ本体でガス管内を遮断した状態で、バッグ本体による遮断箇所を挟んで貫通孔側とは逆の管内に連通可能に設けてあるガス遮断用バッグＡであって、ガス圧力計測手段４をガス圧力導入用チューブに接続するとともに、その計測手段で計測した計測圧力が基準圧力範囲から外れると異常発生情報を報知可能な報知手段７を設けてある。【選択図】        図１
2005233306.tif 000002
【特許請求の範囲】
【請求項１】
膨張収縮自在なバッグ本体に加圧流体供給用チューブを連通接続して、前記バッグ本体を、管壁に形成してある貫通孔を通して収縮状態でガス管内に挿入するとともに、前記加圧流体供給用チューブを通して供給した加圧流体で膨張させて、前記ガス管内を遮断可能に設け、
ガス圧力導入用チューブを前記バッグ本体の内側に挿通して、前記バッグ本体でガス管内を遮断した状態で、前記バッグ本体による遮断箇所を挟んで前記貫通孔側とは逆の管内に連通可能に設けてあるガス遮断用バッグであって、
ガス圧力計測手段を前記ガス圧力導入用チューブに接続するとともに、その計測手段で計測した計測圧力が基準圧力範囲から外れると異常発生情報を報知可能な報知手段を設けてあるガス遮断用バッグ。
【請求項２】
請求項１記載のガス遮断用バッグでガス管内を遮断して、前記ガス圧力導入用チューブが連通している管内のガス圧力を監視するガス圧力監視システムであって、
前記報知手段を、前記異常発生情報を受信端末に自動送信可能な送信手段を設けて構成してあるガス圧力監視システム。
【請求項３】
前記送信手段を、前記異常発生情報を無線で自動送信可能に設けてある請求項２記載のガス圧力監視システム。
【請求項４】
前記送信手段を、前記異常発生情報を複数の受信端末に一斉自動送信可能に設けてある請求項２又は３記載のガス圧力監視システム。
【発明の詳細な説明】
【技術分野】
【０００１】
本発明は、膨張収縮自在なバッグ本体に加圧流体供給用チューブを連通接続して、前記バッグ本体を、管壁に形成してある貫通孔を通して収縮状態でガス管内に挿入するとともに、前記加圧流体供給用チューブを通して供給した加圧流体で膨張させて、前記ガス管内を遮断可能に設け、ガス圧力導入用チューブを前記バッグ本体の内側に挿通して、前記バッグ本体でガス管内を遮断した状態で、前記バッグ本体による遮断箇所を挟んで前記貫通孔側とは逆の管内に連通可能に設けてあるガス遮断用バッグとガス圧力監視システムに関する。
【背景技術】
【０００２】
上記ガス遮断用バッグは、バッグ本体による遮断箇所を挟んで、貫通孔側とは逆の遮断箇所近くの管内のガス圧力を測定したい場合に、その貫通孔側とは逆の遮断箇所近くの管内に連通する開口部が無いときでも、ガス圧力導入用チューブに接続したガス圧力計測手段で簡便に計測できるように構成したものであるが、従来、ガス圧力導入用チューブに接続した水柱ゲージなどのガス圧力計測手段からガス圧力を直接読み取る形態でガス圧力を計測している(例えば、特許文献１参照)。
【０００３】
【特許文献１】特開２００３−１８５０８４号公報
【発明の開示】
【発明が解決しようとする課題】
【０００４】
このため、例えば、バッグ本体と管内面との間から貫通孔側に漏れ出す越ガスの有無を確認するために、遮断箇所を挟んで貫通孔側とは逆の管内のガス圧力の変化を監視したり、或いは、既設ガス管の途中を分断するような工事において、分断部位の前後においてガス供給量の過不足が生じるか否かを予め確認するために、既設ガス管の分断予定部位をバッグ本体で閉塞した状態で、遮断箇所を挟んで貫通孔側とは逆の管内のガス圧力の変化を監視したいような場合は、監視担当者がガス圧力計測手段を接続してある計測現場に出向いて、そのガス圧力計測手段による計測圧力の変化を直接読み取る形態で監視する必要がある。
しかしながら、ガス圧力はユーザの使用状態によっても変化するので、ガス圧力の変化を精度良く監視するためには、監視担当者がガス圧力計測手段による計測圧力の変化を長時間に亘って目視している必要がある。
このため、監視担当者が疲労し易い欠点があり、計測圧力の変化を見落とさないように、複数の監視担当者が交代で監視するようにすると、監視コストが高くなる欠点がある。
本発明は上記実情に鑑みてなされたものであって、ガス圧力の変化を、監視担当者が疲労しにくい状態で、しかも、安い監視コストで精度良く監視できるようにすることを目的とする。
【課題を解決するための手段】
【０００５】
本発明の第１特徴構成は、膨張収縮自在なバッグ本体に加圧流体供給用チューブを接続して、前記バッグ本体を、管壁に形成してある貫通孔を通して収縮状態でガス管内に挿入するとともに、前記加圧流体供給用チューブを通して供給した加圧流体で膨張させて、前記ガス管内を遮断可能に設け、ガス圧力導入用チューブを前記バッグ本体の内側に挿通して、前記バッグ本体でガス管内を遮断した状態で、前記バッグ本体による遮断箇所を挟んで前記貫通孔側とは逆の管内に連通可能に設けてあるガス遮断用バッグであって、ガス圧力計測手段を前記ガス圧力導入用チューブに接続するとともに、その計測手段で計測した計測圧力が基準圧力範囲から外れると異常発生情報を報知可能な報知手段を設けてある点にある。
【０００６】
〔作用及び効果〕
ガス圧力計測手段をガス圧力導入用チューブに接続するとともに、その計測手段で計測した計測圧力が基準圧力範囲から外れると異常発生情報を報知可能な報知手段を設けてあるので、監視担当者は、計測圧力の変化を長時間に亘って目視するようなことなく、計測圧力が基準圧力範囲から外れたことを報知手段による報知動作によって知ることができ、ガス圧力の変化を、監視担当者が疲労を感じにくい状態で、しかも、安い監視コストで精度良く監視できる。
【０００７】
本発明の第２特徴構成は、請求項１記載のガス遮断用バッグでガス管内を遮断して、前記ガス圧力導入用チューブが連通している管内のガス圧力を監視するガス圧力監視システムであって、前記報知手段を、前記異常発生情報を受信端末に自動送信可能な送信手段を設けて構成してある点にある。
【０００８】
〔作用及び効果〕
ガス遮断用バッグに設けてある報知手段を、計測圧力が基準圧力範囲から外れたことを示す異常発生情報を受信端末に自動送信可能な送信手段を設けて構成してあるので、監視担当者は、計測現場に頻繁に出向いたり常駐することなく、計測手段で計測した計測圧力が基準圧力範囲から外れると、送信手段から自動送信された異常発生情報を受信端末で受信して、ガス圧力の変化をリアルタイムで確認することができ、ガス圧力の変化を一層安い監視コストで精度良く監視できる。
【０００９】
本発明の第３特徴構成は、前記送信手段を、前記異常発生情報を無線で自動送信可能に設けてある点にある。
【００１０】
〔作用及び効果〕
電話線や通信ケーブルなどを受信端末に接続したり、監視終了後に電話線や通信ケーブルなどを撤去したりするような煩雑な作業を伴うことなく、異常発生情報を受信端末に自動送信することができる。
【００１１】
本発明の第４特徴構成は、前記送信手段を、前記異常発生情報を複数の受信端末に一斉自動送信可能に設けてある点にある。
【００１２】
〔作用及び効果〕
複数の受信端末を分散配置しておいて、監視担当者は、いずれかの受信端末で異常発生情報を受信できるので、ガス圧力の変化を見逃すようなことなく確実に監視することができる。
【発明を実施するための最良の形態】
【００１３】
以下に本発明の実施の形態を図面に基づいて説明する。
〔第１実施形態〕
図１，図２は、膨張収縮自在なゴム引き布製のバッグ本体１に加圧空気（加圧流体の一例)を供給する加圧空気供給用チューブ２を連通接続し、そのバッグ本体１を、後述する都市ガス供給用配管などの埋設ガス管Ｃの管壁に形成してある貫通孔Ｄを通して、収縮状態でそのガス管Ｃ内に挿入するとともに、加圧空気供給用チューブ２を通して供給した加圧空気で膨張させて、都市ガス供給用のガス管Ｃ内を遮断可能なガスバッグ（ガス遮断用バッグ) Ａを示し、バッグ本体１は、加圧空気を供給しない自然状態において、収縮状態に保持されるように設けてある。
【００１４】
前記ガスバッグＡは、ガス圧導入用チューブ３を、加圧空気供給用チューブ２の内側とバッグ本体１の内側とに亘って挿通して、図３に示すように、バッグ本体１を略円柱形状に膨張させてガス管Ｃ内を遮断した状態で、バッグ本体１による遮断箇所を挟んで貫通孔Ｄ側とは逆の管内に連通可能に設け、そのガス圧導入用チューブ３にガス圧力計測手段４を接続するとともに、その計測手段４で計測した計測圧力が基準圧力範囲から外れると異常発生情報を報知可能な報知手段７を設けてある。
【００１５】
前記バッグ本体１は、加圧空気供給用チューブ２の他端側から突出させたガス圧導入用チューブ３に沿って、周方向の複数箇所で襞状に折り畳んで上下に重ね合わせ、加圧空気供給用チューブ２を気密に接続固定してある樹脂製の筒状接続部材１０を、折り畳み状態のバッグ本体１の一端部内側に挿入して、かしめ金具１１で加圧空気供給用チューブ２に同芯状に気密に固定するとともに、ガス圧導入用チューブ３を気密に接続固定してある樹脂製の筒状接続部材１２を、折り畳み状態のバッグ本体１の他端部内側に挿入し、かしめ金具１３でガス圧導入用チューブ３に同芯状に気密に固定して、長尺棒状の収縮状態に保持できるように設けてある。
【００１６】
前記加圧空気供給用チューブ２とガス圧導入用チューブ３は、ウレタン樹脂などで弾性的に撓み変形可能に形成してあり、ガス圧導入用チューブ３と加圧空気供給用チューブ２との間に加圧空気の供給路を確保できるように、ガス圧導入用チューブ３の外径を加圧空気供給用チューブ２の内径よりも小さくして、ガス圧導入用チューブ３を加圧空気供給用チューブ２の内側に挿通してある。
【００１７】
そして、加圧空気供給用チューブ２の一端側にチーズ１４を連通接続して、チーズ１４の一方の開口部を手押し式空気ポンプ１５の接続部１６に構成し、ガス圧導入用チューブ３をチーズ１４の他方の開口部１７に気密に挿通して、その挿通端側にガス圧力測定手段４を接続してある。
【００１８】
前記ガス圧力計測手段４は、検知部がガス圧導入用チューブ３に入り込むように気密に接続してあるガス圧力センサ５とその検出信号を処理して計測圧力を出力する信号処理部６とを接続してある計測ユニットで構成してあり、報知手段７は、異常発生情報を後述するように携帯受信端末１８（１８ａ）に無線で送信可能なＰＨＳ送信端末８と、計測ユニット４で計測した計測圧力が基準圧力範囲から外れると異常発生情報を予め特定された一つの携帯受信端末１８ａに無線で自動送信するようにＰＨＳ送信端末８を制御する制御装置９とを備えた送信手段としての送信ユニットを設けて構成してある。
【００１９】
図３，図４は、上記ガスバッグＡを使用して、地中に埋設してある都市ガス供給用配管網を構成している既設ガス管Ｃ内のガス圧力を監視するガス圧力監視システムＢを示し、このガス圧力監視システムＢは、両方向からガスが供給される既設ガス管Ｃの老朽化した管部分Ｃ１を仮想線で示す新設ガス管Ｅに付け替えるにあたって、工事区間Ｇの一端端部を切断してその切断端部を塞いでも、切断端部を挟む両側の既設ガス管Ｃにおいて必要な供給ガス圧力を確保できるか否かを調べて、必要な供給ガス圧力を確保できないときは、図中の仮想線で示すように、バイパス管Ｆを接続するために設置してある。
【００２０】
前記ガス圧力監視システムＢは、ＰＨＳ携帯電話機などの複数の携帯受信端末１８（１８ａ，１８ｂ，１８ｃ）を配置するとともに、ガス管Ｃの切断予定箇所１９に貫通孔Ｄを形成して、貫通孔Ｄを挟む両側の既設ガス管Ｃ内をガスバッグＡで各別に遮断し、それらの遮断箇所を挟んで貫通孔Ｄ側とは逆の各管内のガス圧力を計測ユニット４で計測し、その計測圧力が、供給ガス圧力を確保できるガス圧力の変動範囲として設定してある基準圧力範囲から外れると、電子メール形式の異常発生情報を予め特定された一つの携帯受信端末１８ａに無線で自動送信して、その携帯受信端末１８ａを持っている監視担当者Ｈに、ガス圧力の基準圧力範囲から外れるような変化があった旨を報知できるように構成してある。
【００２１】
〔第２実施形態〕
第１実施形態において、計測ユニット４で計測した計測圧力が基準圧力範囲から外れると、電子メール形式の異常発生情報を指定された複数の携帯受信端末１８（１８ａ，１８ｂ，１８ｃ）の各々に無線で一斉自動送信するようにＰＨＳ送信端末８を制御する制御装置９を備えた送信ユニット７を設けてあっても良い。
【００２２】
〔その他の実施形態〕
１．本発明によるガス遮断用バッグは、基準圧力範囲を許容上限ガス圧力又は許容下限ガス圧力で設定して、計測圧力が許容上限ガス圧力を上回ったり、許容下限ガス圧力を下回ったりする状態で基準圧力範囲から外れると、異常発生情報を報知可能な報知手段を設けてあっても良い。
２．本発明によるガス遮断用バッグは、計測手段で計測した計測圧力が基準圧力範囲から外れると、異常発生情報を警報音などの音声や警報ランプの点灯によって報知可能な報知手段を設けてあっても良い。
３．本発明によるガス遮断用バッグ及びガス圧力監視システムは、報知手段を、ＰＨＳ方式以外に、ＴＤＭＡ方式やＣＤＭＡ方式の携帯送信端末や携帯受信端末を設けて構成してあっても良い。
４．本発明によるガス圧力監視システムは、バッグ本体と管内面との間から貫通孔側に漏れ出す越ガスの有無を確認するために、遮断箇所を挟んで貫通孔側とは逆の管内のガス圧力の変化を監視するために設けてあっても良い。
５．本発明によるガス圧力監視システムは、配管網端部などに接続してある片方向からガスが供給される既設ガス管のガス圧力の変化を監視するために設けてあっても良い。
６．本発明によるガス圧力監視システムは、調圧装置（ガバナ）の前後箇所におけるガス圧力の変化を監視するために設けても良い。
７．本発明によるガス圧力監視システムは、地上に配管されているガス管のガス圧力の変化を監視するために設けてあっても良い。
８．本発明によるガス圧力監視システムは、その監視目的に応じて任意の特定箇所におけるガス管のガス圧力の変化を監視するために使用できる。
９．本発明によるガス圧力監視システムは、その監視目的に応じて新設ガス管のガス圧力の変化を監視するために使用しても良い。
１０．本発明によるガス圧力監視システムは、異常発生情報を有線で固定式の受信端末に自動送信可能に設けてあっても良い。
１１．本発明によるガス圧力監視システムは、受信端末側に設けた警報ランプを点灯させる信号や受信端末側に設けた警報音を鳴らす信号などを異常発生情報としてを受信端末に自動送信可能に設けてあっても良い。
【図面の簡単な説明】
【００２３】
【図１】ガス遮断用バッグの概略斜視図
【図２】ガス遮断用バッグの縦要部断面図
【図３】ガス遮断用バッグの装着状態を示す要部断面図
【図４】ガス圧力監視システムの説明図
【符号の説明】
【００２４】
１    バッグ本体
２    加圧流体供給用チューブ
３    ガス圧力導入用チューブ
４    ガス圧力計測手段
７    報知手段（送信手段）
１８  受信端末（携帯端末）
Ａ    ガス遮断用バッグ
Ｃ    ガス管
Ｄ    貫通孔
【図１】
2005233306.tif 000003
【図２】
2005233306.tif 000004
【図３】
2005233306.tif 000005
【図４】
2005233306.tif 000006